(57)【要約】  車両を組み立てる方法であって、（順に）シャーシ構造体を提供するステップと、シャーシ構造体によって画定されたドア開口部に隣接する位置においてヒンジ式アタッチメントを介してシャーシ構造体にドアインナーパネルを取り付けるステップと、シャーシ構造体に少なくとも１つの外部ボディーパネルを取り付けるステップと、接着剤による固定を介してドアアウターパネルをドアインナーパネルに取り付けるステップとを含む。ドアインナーパネルは、製造中に、ドアとシャーシ構造体との間に提供されるシールの必要性に合わせた位置に取り付ける。車両の製造を継続し、やがてアウターボディーパネルをシャーシ構造体に取り付ける。そして、ドアアウターパネルは、パネルギャップ及び取り付けの平らさを調整するために、接着剤によるアタッチメントの許容差を使用して、ドアインナーパネルに取り付ける。本願は、製造された車両にも関する。
2021503405.tif 000002
【特許請求の範囲】
【請求項１】
車両を組み立てる方法であって、
シャーシ構造体を提供するステップと、
前記シャーシ構造体によって画定されたドア開口部に隣接する位置にヒンジ式アタッチメントを介してドア構造体を固定するステップと、
前記ドア構造体にドアアウターパネルを取り付けるステップと、
前記シャーシ構造体に少なくとも一つの外部ボディーパネルを取り付けるステップと
を含み、
前記ドアアウターパネル及び前記外部ボディーパネルのうち、最後に取り付けられるものが取り付けられ、取り付け中に他方に対して位置を合わせる方法。
【請求項２】
前記ドア構造体は、機械式アタッチメントを介して前記シャーシ構造体に固定される請求項１に記載の方法。
【請求項３】
前記ドア構造体は、前記ドア開口部の少なくとも一部を覆う請求項１又は請求項２に記載の方法。
【請求項４】
前記ドア構造体は、前記ドア開口部の少なくとも周辺部を覆う請求項１又は２に記載の方法。
【請求項５】
前記ドア構造体は、ドアが閉じられたときに前記シャーシ構造体に対して密閉するシールを有する請求項４に記載の方法。
【請求項６】
前記シャーシ構造体は、ドアが閉じられたときに前記ドア構造体に対して密閉するシールを有する請求項３から５のいずれか一項に記載の方法。
【請求項７】
前記シャーシ構造体は、シャーシと少なくとも１つの中間パネルを含み、前記中間パネルは接着剤によってシャーシに固定された請求項３から５のいずれか一項に記載の方法。
【請求項８】
シャーシ構造体を提供するステップと、
前記ドア構造体に前記ドアアウターパネルを取り付けるステップと、
前記シャーシ構造体に前記ドア構造体を固定するステップと、
前記シャーシ構造体に前記少なくとも一つの外部ボディーパネルを取り付け、取り付け中に前記外部ボディーパネルを前記ドアアウターパネルに対して位置を合わせるステップと
の順序でステップが実行される請求項１から７のいずれか一項に記載の方法。
【請求項９】
前記外部ボディーパネルが取り付けられている間に少なくとも１つの治具部分が前記外部ボディーパネルと接している請求項８に記載の方法。
【請求項１０】
前記外部ボディーパネルが取り付けられた後で、前記治具部分が取り外される請求項９に記載の方法。
【請求項１１】
シャーシ構造体を提供するステップと、
前記シャーシ構造体に前記ドア構造体を固定するステップと、
前記シャーシ構造体に前記少なくとも一つの外部ボディーパネルを取り付けるステップと、
前記ドア構造体に前記ドアアウターパネルを取り付け、取り付け中に前記ドアアウターパネルを前記外部ボディーパネルに対して位置を合わせるステップと
の順序でステップが実行される請求項１から７のいずれか一項に記載の方法。
【請求項１２】
前記ドアアウターパネルが前記ドアインナーパネルに取り付けられている間に少なくとも１つの治具部分が前記ドアアウターパネルと接している請求項１１に記載の方法。
【請求項１３】
前記ドアアウターパネルが取り付けられた後で、前記治具部分が取り外される請求項１２に記載の方法。
【請求項１４】
前記ドアアウターパネルは、接着剤による固定を介して前記ドア構造体に取り付けられた請求項１１から１３のいずれか一項に記載の方法。
【請求項１５】
前記シャーシ構造体は相互に連結された管状部材のフレームワークを含む、又は前記シャーシは相互に連結された管状部材のフレームワークである請求項１１から１３のいずれか一項に記載の方法。
【請求項１６】
前記シャーシ構造体又は前記シャーシは、前記フレームワークに取り付けられたパネルを含み、各パネルは管状部材の間の空間を橋渡しするように複数の管状部材に取り付けられた請求項１５に記載の方法。
【請求項１７】
シャーシ構造体と、前記シャーシ構造体によって画定されたドア開口部に隣接する位置でヒンジ式アタッチメントを介して前記シャーシ構造体に取り付けられたドアインナーパネルと、前記シャーシ構造体に取り付けられた外部ボディーパネルと、前記ドアインナーパネルとは異なるが、接着剤による固定を介して取り付けられたドアアウターパネルとを含む車両。
【請求項１８】
前記ドアインナーパネルは、機械的なアタッチメントを介して前記シャーシ構造体に取り付けられた請求項１７に記載の車両。
【請求項１９】
前記ドアインナーパネルは、前記ドア開口部の少なくとも一部を覆う請求項１７又は１８に記載の車両。
【請求項２０】
前記ドアインナーパネルは、前記ドア開口部の少なくとも周辺部を覆う請求項１７から１９のいずれか一項に記載の車両。
【請求項２１】
前記ドアインナーパネルは、前記ドアが閉じられたときにシャーシ構造体に対して密封するシールを有する請求項２０に記載の車両。
【請求項２２】
前記シャーシ構造体は、ドアが閉じられたときに前記ドアインナーパネルに対して密封するシールを有する請求項２０又は２１に記載の車両。
【請求項２３】
前記シャーシ構造体は、接着剤による固定を介してシャーシに取り付けられた中間パネルを含む請求項１７から２２のいずれか一項に記載の車両。
【請求項２４】
少なくとも１つの治具部分が、前記ドアアウターパネルに接触又は解放可能に取り付けられた請求項１７から２３までのいずれか一項に記載の車両。
【請求項２５】
前記シャーシ構造体は相互に連結された管状部材のフレームワークを含む、又は前記シャーシは相互に連結された管状部材のフレームワークを含む請求項１７から２４のいずれか一項に記載の車両。
【請求項２６】
前記シャーシ構造体又は前記シャーシは、前記フレームワークに取り付けられたパネルを含み、前記パネルが管状部材の間の空間を橋渡しするように複数の管状部材に取り付けられている請求項２５に記載の車両。
【発明の詳細な説明】
【技術分野】
【０００１】
本発明は、車両への車両ドアの取り付け及び車両ドアの性質に関するものである。
【背景技術】
【０００２】
新車の重要な側面は、安全性、性能などを除くと、外部パネルの一貫したパネルギャップや平らな取り付けなどの提示的なディテールを含む外観である。
【０００３】
従来の車体では、リアバンパーやフェンダーは、通常は体フレーム構造体の一部となっている。したがって、ドアを取り付ける際には、平らに、小さく一貫したパネルギャップを維持するように、その取り付けがリアボディーパネルと調和するように調整する必要がある。続いて、フロントバンパーやフェンダーは典型的にはボディーに取り付けられ、その後で、フロントフェンダーは、同様に、平らに、一貫したパネルギャップを与えるように、ドアに対して調整される必要がある。その後、ドアシールは、水の浸入を止めるために、（ＡピラーからＢピラーまで延びているので、ＡＢフランジとして知られる）ボディーのドア開口フランジに取り付けられる。
【０００４】
ドアシールの効果を確実に発揮させるためには、ドアとドア開口フランジとの間のギャップが許容差内にあることが必要である。このことは、ドアのセッティングは、シールのための良好なギャップと、良好なパネルギャップと、平らであることとを両立させるために、妥協しなければならないことを意味する。シールギャップが広すぎると、効果的なシールができず、水の浸入を許してしまう。シールギャップが小さすぎると、ドアを閉める際にシールが過度に圧縮されなければならず、結果としてドアを閉めるために必要な労力が増えてしまう。
【発明の概要】
【０００５】
したがって、本発明は、車両を製造する方法を提供し、シャーシ構造体を提供するステップと、シャーシ構造体によって画定されたドア開口部に隣接する位置でヒンジ式アタッチメントを介してシャーシ構造体にドア構造体を取り付けるステップと、ドアアウターパネルをドア構造体に取り付けるステップと、少なくとも１つの外部ボディーパネルをシャーシ構造体に取り付けるステップとを含み、ドアアウターパネル及び外部ボディーパネルのうち最後に取り付けられるものが取り付けられ、取り付け中に、他のものに位置が併せられる。
【０００６】
ドア構造体は、ボルト接続などの機械的な取り付けを介してシャーシ構造体に固定することができ、必要な機械的強度を提供し、（好ましくは）車両寿命中に必要であれば後で取り外すことを可能にする。それは、好ましくはドア開口部の少なくとも一部、理想的にはドア開口部の周縁部を覆い、それによって、ドアが閉じられたときに、シャーシ構造体に対して密閉するシールを担持することができる。シャーシ構造体はまた、ドアが閉じたときに、ドア構造体に対して密閉するシールを有していてもよい。
【０００７】
シャーシ構造体は、シャーシと、少なくとも１つの中間パネルとを含み、中間パネルは、接着剤でシャーシに固定されている。中間パネルは、シャーシの許容差にかかわらず、正確な基準を提供することができる。ドア自体のような機械的な取り付けは、基礎となるシャーシに行うことができるが、中間パネル又はその中の形成物の助けを借りて位置合わせ及び位置決めをすることもできる。
【０００８】
ステップは、好ましくは、シャーシ構造体を提供するステップ、ドアアウターパネルをドア構造体に取り付けるステップ、ドア構造体をシャーシ構造体に取り付けるステップ、ドア構造体をシャーシ構造体に取り付けるステップ、少なくとも１つの外部ボディーパネルをシャーシ構造体に取り付けるステップ、及び、取り付け中に、外部ボディーパネルをドアアウターパネルに対して位置を合わせるステップの順で実行される。このプロセスを支援するために、取り付け中に１つ以上の治具部品を外部ボディーパネルに取り付けたり、アウターボディーパネルと接したりさせることができ、これらは、外部ボディーパネルが取り付けられた後に取り外すことができる。
【０００９】
あるいは、シャーシ構造体を提供するステップ、ドア構造体をシャーシ構造体に取り付けるステップ、少なくとも１つの外部ボディーパネルをシャーシ構造体に取り付けるステップ、ドアアウターパネルをドア構造体に取り付けるステップ、及び、取り付け中に、ドアアウターパネルを外部ボディーパネルに対して位置を合わせるステップの順で実施することができる。このようにして、ドアインナーパネルは、製造中に、ドアとシャーシ構造体との間に提供されるシールの必要に応じた適切な位置に取り付けることができる。車両の生産は続行することができ、やがてアウターボディーパネルをシャーシ構造体に取り付けることができるようになる。ドアアウターパネルは、接着剤でドアインナーパネルに取り付けることができ、このことによって、接着剤による取り付けにおける許容差の使用によってパネルギャップや平らな取り付けの調製ができるようになる。このプロセスを支援するために、ドアアウターパネルを取り付けている間に、１つ以上の治具部品をドアアウターパネルに取り付けたり、接したりさせることができる、これらは、ドアアウターパネルを取り付けた後に取り外すことができる。
【００１０】
シャーシ構造体は、例えば先願の国際公開第２０１４／００９２７１号に記載されているように、１枚以上の中間パネルが取り付けられたシャーシを含むことができる。これらは、機械的な取り付けを介して又は接着剤によってシャーシに固定することができる。中間パネルは、好ましくはドアの開口部の少なくとも周辺部を覆うが、それは、ドアが閉じるときにドアの内側に対して密閉するシールを支持することができるからである。中間パネルは、好ましくは接着剤による固定によってシャーシに取り付けられるが、先願の国際公開第２０１４／００９２７１号に記載されているように、このことによって、基礎となるシャーシの許容差にかかわらず、中間パネルが選ばれた基準に位置を設定できるようになる。シャーシ自体は、相互に連結された管状部材のフレームワークであってもよく、理想的にはフレームに取り付けられたパネルを含み、各パネルは複数の管状部材に取り付けられ、先願の国際公開第２００９／１２２１７８号に記載されているように、管状部材間の空間の橋渡しをするようにしている。
【００１１】
本発明はまた、シャーシ構造体と、シャーシ構造体によって画定されたドア開口に隣接する位置でヒンジ式アタッチメントを介してシャーシ構造体に取り付けられたドアインナーパネルと、中間パネルに取り付けられた外部ボディーパネルと、ドアインナーパネルとは区別されているが接着剤による固定を介してドアインナーパネルに取り付けられたドアアウターパネルとを含む車両を提供する。このような車両はまた、上述した他の好ましい特徴を含んでいてもよい。
【図面の簡単な説明】
【００１２】
本発明の一実施形態を、添付の図を参照して、例によって説明する。
【図１】本発明の第１の実施形態に従って、車両及びドアを組み立てる際の連続したステップを模式的に図示した水平断面図である。
【図２】本発明の第１の実施形態に従って、車両及びドアを組み立てる際の連続したステップを模式的に図示した水平断面図である。
【図３】本発明の第１の実施形態に従って、車両及びドアを組み立てる際の連続したステップを模式的に図示した水平断面図である。
【図４】本発明の第１の実施形態に従って、車両及びドアを組み立てる際の連続したステップを模式的に図示した水平断面図である。
【図５】本発明の第２の実施形態に従った、車両及びドアを組み立てる際のステップを図示した断面図の類似する一続きを示している。
【図６】本発明の第２の実施形態に従った、車両及びドアを組み立てる際のステップを図示した断面図の類似する一続きを示している。
【図７】本発明の第２の実施形態に従った、車両及びドアを組み立てる際のステップを図示した断面図の類似する一続きを示している。
【図８】完全に組み立てられた本発明の実施形態を通る垂直断面図である。
【発明を実施するための形態】
【００１３】
図１は、本発明の第１の実施形態に従った方法によって組み立てられる車両の一部をこの方法の初期段階において模式的に図示した水平断面図として示している。車両の部分１０は、シャーシの一部を形成する管状支柱１２，１２’を有している。これは、先願の国際公報第２００９／１２２１７８号に記載されているように、管状部分間で力を伝達するために、他の管状部分、及び／又は１つ以上の補強パネルによって補強されてもよい。あるいは、シャーシは、従来のものであってもよい。中間パネル１４、１４’の部分は、先願の国際公報第２０１４／００９２７１号に記載されているように、シャーシに取り付けられているが、中間パネルの残りの部分は、見やすくするために図示されていない。シャーシ及び中間パネルは、一緒に車両のシャーシ構造体を画定している。アタッチメント２６、２６’は、さらなる構成要素への後続の接続を可能にするか、又はそれを補助するため、及び／又はそれらの要素を正確に位置決めすることを補助するために、中間パネル上に設けられている。アタッチメント２６、２６’は、中間パネル１４に取り付けられているように示されているが、好ましくはその代わりに中間パネルと一体的に形成されてもよい。
【００１４】
国際公報第２０１４／００９２７１号で説明されているように、中間パネル１４は、接着剤層１５、１５’によってシャーシに取り付けられ、接着剤層１５、１５’は管状支柱１２、１２’の正確な位置における製造の許容差に対応するのに十分な呼称厚さを有する。このようにして、管状部分は、ＣＮＣ切断、曲げ及び溶接技術を用いてミリ単位の許容差でフレームワークに組み立てることができ、中間パネルは、（それによって固定された基準点を提供する）治具を介して、又は自動化された取扱装置によって取り付けられる。その結果、既知の基準位置にある１枚以上の中間パネルが得られる。
【００１５】
図２は、ヒンジ式アタッチメント２４を介して、ドアインナーパネル１６がシャーシ１２に取り付けられた、図１に示した部分１０を示している。ドアインナーパネル１６は、ドア開口部１８に隣接して配置されている。ヒンジ式アタッチメント２４は、シャーシ管１２に固定してもよいし、中間パネル１４に固定してもよいが、ヒンジ式アタッチメント２４を構造要素に固定するので前者が好ましい。
【００１６】
図３は、外部ボディーパネル２０、２０’がアタッチメント２６、２６’を介して取り付けられた、図２に示された部分１０を示す。ここでも、これらは、（示されているように）間接的に又は直接に中間パネル１４に取り付けられているので、それらは、既知の基準に対して位置し、それゆえ、それらの位置を保証することができる。
【００１７】
図４は、最終的なステップであるドアアウターパネル２２の取り付けを示している。これは、接着剤層２８、２８’を介してドアインナーパネル１６に接着剤で接着される。シャーシへの中間パネルの取り付けと同様に、これらの接着剤層２８，２８’は、位置の許容差に対応するのに十分な厚さであり、したがって、ドアアウターパネル２２は、車両に既に取り付けられている外部ボディーパネル２０に対して正確に配置することができる。ドアアウターパネル２２がドアインナーパネル１６に取り付けられている間、組立工程中に補助するために、治具部品３０、３０’がドアアウターパネル２２に取り付けられていてもよい。これらの治具部品３０，３０’は、ドアアウターパネル２２と外部ボディーパネル２０との間にパネルギャップを設けるために、ドアアウターパネル２２と外部ボディーパネル２０との間のギャップに延びる舌片を含んでいる。また、それらは、ドアアウターパネル２２の外面と同じ高さに設定され、関連する外部ボディーパネル２０に接するように配置され、ドアアウターパネル２２が周囲のパネルと平らになるような適切な深さに設定されるようにするための突出部を含んでいる。
【００１８】
最終的に、基準に対して位置が固定され、それゆえにドアシールのために理想的に配置されているインナーパネルと、周囲のボディーパネルに対して正確に位置し、平らで、良好なパネルギャップを有するアウターパネルとを含むドアが得られる。
【００１９】
図５から図７は、第２の実施形態に従った方法を示している。ドアの構成要素の多くは同じであり、したがって、同様の部品を表すために同様の参照数字が採用されている。図５は、図１と同じレイアウトで、方法の初期段階におけるそのような車両の一部の水平断面を模式的に図示したものである。ここでも、車両のこの部分１０は、シャーシの一部を形成する管状支柱１２，１２’を有している。中間パネル１４，１４’の部分はシャーシに取り付けられ、中間パネルの残りの部分は簡単のために図示されていない。アタッチメント２６、２６’、２７は、中間パネル１４に設けられ、他の要素に続いて接続するために、また、それらの要素を正確に位置決めするのを補助するために存在している。第１の実施形態に関連して説明したように、中間パネルは、それに取り付けられる部品のための既知の基準位置を提供している。
【００２０】
図６は、正確な位置を得るために統合パネル１４上の形成物２７を使用して、予め形成されたドア１１がヒンジ式アタッチメント２４を介してシャーシ１２に取り付けられた、図５に示された部分１０を示している。ドアは、概ねインナーパネル１６とアウターパネル２２とから構成され、それらは接着剤層２８，２８’を介して接着剤によって結合されている。このことは、ドア１１が（ヒンジ式アタッチメント２４を含む）予め定められた寸法に正確に構築されることを確保するために、シャーシ１２から離れた適切な治具上で行われる。ヒンジ式アタッチメント２４は、シャーシ管１２に固定してもよいし、中間パネル１４に固定してもよいが、ヒンジ式アタッチメント２４を構造要素に固定するために前者が好ましい。予め形成されたドアが中間パネルに取り付けられると、ドアは、インナー及びアウタードアパネル１６，２２の両方を含み、中間パネルに対して所定の位置にあることになる。したがって、ドアシールは、中間パネル１４に対するドアインナーパネル１６の位置によって画定される既知の間隙にあるようになる。同様に、ドアアウターパネルは既知の位置にあるようになる。
【００２１】
図７は、最終的なステップであって、ドアインナーパネルへの機械的な固定又は接着剤による、中間パネル１４への外部ボディーパネル２０，２０’の取り付けを示している。治具部品３０，３０’は、外部ボディーパネル２０が中間パネル１４に取り付けられている間、組立工程中に補助するために、ドアアウターパネル２２及び／又は外部ボディーパネル２０に取り付けられてもよい。機械式固定具は、ドアパネルに対して正確に相対的に位置決めできるように、パネル位置の微調整を可能にするものであることが好ましい。
【００２２】
最終的な結果は、再び、その位置が基準に対して固定され、それゆえにドアシールのために理想的に配置されるインナーパネルと、周囲のボディーパネルに対して正確に配置され、平らで、良好なパネルギャップを有するアウターパネルとを含むドアである。
【００２３】
固定具及びアタッチメント２４、２６、２６’、２８、２８’、３０、３０’は、分かりやすさを助けるために簡略化された形態で示されているが、実際には、ヒンジ式アタッチメント及び／又は接着剤固定具を含む様々なタイプの機械的なアタッチメントであってもよい。
【００２４】
ヒンジ式アタッチメント２４は、シャーシ又は中間パネルに取り付けられるように準備されているような単なるヒンジであってもよい。そのようなヒンジは、通常、それらの間に回転可能に接続された２枚のヒンジプレートを含んでいる。したがって、一方のプレートはドア構造体に、他方のプレートはシャーシに取り付けられる。どちらか又は両方のプレートは、それぞれシャーシ又はドアパネルに一体化されていてもよい。複数のヒンジが使用される場合には、これらは別々に取り付けられてもよいし、１つ以上の共有ヒンジプレートを使用してもよいし、１つ以上のサブフレームが提供されてもよく、それらはヒンジプレートを取り付けることができ、それ自体は最終的に管状支柱１２又はドア構造体の（適切な）残りの部分に取り付けることができる。
【００２５】
図８は、本発明の方法に従って組み立てられた代替車両の一部を、ドアの底部を示すそのような車両の一部を通る垂直断面として示している。部分１００は、管状セクション１１２、１１２’を有し、管状セクションに接着剤で接着された補強パネル１１０と共に、これらは、中間パネル１１４が取り付けられたそれぞれのシャーシの一部を形成している。外部ボディーパネル１２０もまた、中間パネル１１４に取り付けられている。車両のドアが閉じられたとき（例えば図８に描かれているように）、ドアインナーパネル１１６と外部ボディーパネル１２０との間にシールが形成されるように、第１のシール１２４が中間パネル１１４に取り付けられ、第２のシール１２６がドアインナーパネル１１６に取り付けられている。ドアアウターパネル１２２は、接着剤による接続部１２８を介してドアインナーパネル１１６に取り付けられている。また、図８には、完全性のために含まれているが、本発明に直接関係しない車両の部品、例えば、車両の床２００及びドアフレーム２０２が示されている。
【００２６】
いうまでもなく、本発明の範囲から逸脱することなく、上述の実施形態に多くの変形がなされ得ることが理解されるであろう。
【図１】
2021503405.tif 000003
【図２】
2021503405.tif 000004
【図３】
2021503405.tif 000005
【図４】
2021503405.tif 000006
【図５】
2021503405.tif 000007
【図６】
2021503405.tif 000008
【図７】
2021503405.tif 000009
【図８】
2021503405.tif 000010
【国際調査報告】
2021503405.tif 000011
2021503405.tif 000012
2021503405.tif 000013